(57)【特許請求の範囲】
【請求項１】
機体のブラケットにアタッチメントを連結ピンにて回動自在に枢着し、該アタッチメントの枢着部内にグリス封入室を設けた建設機械に於いて、前記アタッチメントの枢着部にグリス封入室と外部とを連通する通気孔を開穿して該グリス封入室の温度上昇による内圧上昇を防止するように構成すると共に、該通気孔にベンド状のパイプを取り付けて、前記グリス封入室への雨水の浸入を防止するように構成したことを特徴とする建設機械のアタッチメント連結装置。
【請求項２】
機体のブラケットにアタッチメントを連結ピンにて回動自在に枢着し、該アタッチメントの枢着部内にグリス封入室を設けた建設機械に於いて、前記連結ピンの中心部長手方向に通気孔を開穿し、且つ、該通気孔の奥端部を前記グリス封入室に連通し、更に、該通気孔の他端部を前記連結ピンの端面に開口して、前記グリス封入室の温度上昇による内圧上昇を防止するように構成すると共に、該グリス封入室への雨水の浸入も防止するように構成されたことを特徴とする建設機械のアタッチメント連結装置。
【発明の詳細な説明】
【０００１】
【発明の属する技術分野】
本発明は建設機械のアタッチメント連結装置に関するものであり、特に、雨水対策を施したアタッチメントの枢着部からのグリス流出防止に関するものである。
【０００２】
【従来の技術】
従来、油圧ショベルをはじめとする建設機械は、作業仕様に応じて異なるアタッチメントを連結する。此種建設機械のアタッチメント連結装置は、機体に固設したブラケットにアタッチメントを連結ピンにて回動自在に枢着し、アタッチメントの枢着部内にグリス封入室を設けてある。そして、このグリス封入室にグリスを封入してアタッチメントの回動を円滑にしている。
【０００３】
【発明が解決しようとする課題】
前記グリス封入室はブッシュやシールによって密封されているが、アタッチメントの枢着部と連結ピンとの摺動摩擦熱により、前記グリス封入室の温度が上昇するとグリス封入室の内圧が高まることがある。また、アタッチメントが横方向に動いたときに、アタッチメントの端面とブラケットの側面との隙間の空気が強制的にシールを通してグリス封入室に送り込まれることがある。
【０００４】
このように、グリス封入室の内圧が高まると、加圧された空気はシールを通して外部に排出されるが、このときグリス封入室内のグリスが空気と一緒に外部に流出することがある。然るときは、流出したグリスによって周囲が汚損され、連結装置の見栄えが著しく低下する。また、前記アタッチメントの枢着部は外部に露出しており雨にさらされるため、雨水に対する対策も必要とされる。
【０００５】
そこで、アタッチメントの枢着部からのグリス流出を防止すると共に、雨水対策をすることに解決すべき技術的課題が生じてくるのであり、本発明はこの課題を解決することを目的とする。
【０００６】
【課題を解決するための手段】
本発明は上記目的を達成するために提案されたものであり、請求項１記載の発明は、機体のブラケットにアタッチメントを連結ピンにて回動自在に枢着し、該アタッチメントの枢着部内にグリス封入室を設けた建設機械に於いて、前記アタッチメントの枢着部にグリス封入室と外部とを連通する通気孔を開穿して該グリス封入室の温度上昇による内圧上昇を防止するように構成すると共に、該通気孔にベンド状のパイプを取り付けて、前記グリス封入室への雨水の浸入を防止するように構成した建設機械のアタッチメント連結装置を提供するものであり、請求項２記載の発明は、機体のブラケットにアタッチメントを連結ピンにて回動自在に枢着し、該アタッチメントの枢着部内にグリス封入室を設けた建設機械に於いて、前記連結ピンの中心部長手方向に通気孔を開穿し、且つ、該通気孔の奥端部を前記グリス封入室に連通し、更に、該通気孔の他端部を前記連結ピンの端面に開口して、前記グリス封入室の温度上昇による内圧上昇を防止するように構成すると共に、該グリス封入室への雨水の浸入も防止するように構成された建設機械のアタッチメント連結装置を提供するものである。
【０００７】
【発明の実施の形態】
以下、本発明の一実施の形態を図面に従って詳述する。図１はアタッチメントの一例としてブームアタッチメント１１を示し、該ブームアタッチメント１１の基端に枢着部１１ａが設けられている。図２は請求項１記載の発明の実施形態を示し、前記ブームアタッチメントの枢着部１１ａは、機体に固設されたブラケット１２に連結ピン１３にて回動自在に取り付けられている。該ブームアタッチメントの枢着部１１ａの内部にはグリス封入室１４が設けられており、該ブームアタッチメントの枢着部１１ａの端面部は、ブッシュ１５及びシール１６によって密封されている。また、該ブームアタッチメントの枢着部１１ａの上面部にはグリス注入用のグリスニップル１７が装着され、更に、グリス封入室１４と外部とを連通する通気孔１８が開穿され、該通気孔１８にはベンド状のパイプ２０が取り付けられている。
【０００８】
而して、前記グリスニップル１７から注入されたグリス１９はグリス封入室１４に封入され、該ブームアタッチメントの枢着部１１ａと連結ピン１３との摺動面を潤滑して、ブームアタッチメント１１の回動を円滑にしている。そして、該ブームアタッチメントの枢着部１１ａと連結ピン１３との摺動摩擦熱により、前記グリス封入室１４の温度上昇によって内圧が上昇した場合は、前記通気孔１８からパイプ２０を介して加圧空気が外部へ逃げるため、グリス封入室１４の内圧が異常に高まることがない。従って、グリス封入室１４のグリス１９がシール１６部分から外部に流出するのを防止できる。
【０００９】
尚、前述した通気孔１８に取り付けたパイプ２０の形状は任意形状でよいが、請求項１記載の発明ではベンド状のパイプ２０を採用した。また、材質としては金属やゴム、合成樹脂等が考えられる。そして、前記パイプ２０を前記通気孔１８に取り付けたことにより、通気孔１８が外部に直接露出しなくなるため、雨水等がグリス封入室１４へ浸入するのを防止できる。
【００１０】
図３は請求項２記載の発明の実施形態を示し、連結ピン１３の側端面に開口を有し、グリス封入室１４と外部とを連通する通気孔２３を連結ピン１３に開穿したもので、連結ピン１３の側端面から軸心方向に所定長さの孔を穿設し、該孔に交差する別の孔を連結ピン１３の半径方向に穿設して、グリス封入室１４と外部とを連通させることによりグリス封入室１４の温度上昇による内圧の上昇を防止する。
【００１１】
前述した各実施の形態では、通気孔１８又は２３を１箇所としているが、複数箇所設けることもでき、また、設置位置は図示した箇所に限定されない。尚、本発明は、本発明の精神を逸脱しない限り種々の改変を為すことができ、そして、本発明が該改変されたものに及ぶことは当然である。
【００１２】
【発明の効果】
本発明は上記一実施の形態に詳述したように、請求項１記載の発明は、アタッチメントの枢着部にグリス封入室と外部を連通する通気孔を開穿したことにより、グリス封入室の内圧が上昇した場合は、該通気孔から加圧空気が外部へ逃げるため、グリス封入室の内圧が異常に高まることがない。従って、グリス封入室のグリスが外部に流出するのを防止できる。また、前記通気孔にベンド状のパイプを取り付けたことにより、前記グリス封入室への雨水の浸入を防止することができる。
【００１３】
請求項２記載の発明は、アタッチメントを機体のブラケットに枢着する連結ピンの側端面に開口を有し、グリス封入室と外部とを連通する通気孔を連結ピンに開穿したことにより、請求項１記載の発明と同様の効果を奏する。
【図面の簡単な説明】
図は本発明の一実施の形態を示すものである。
【図１】ブームアタッチメントの側面図である。
【図２】請求項１記載の発明の実施形態を示し、図１のＡ−Ａ線部分の断面図。
【図３】請求項２記載の発明の実施形態を示し、要部の縦断正面図。
【符号の説明】
１１        ブームアタッチメント
１１ａ      枢着部
１３        連結ピン
１４        グリス封入室
１８        通気孔
１９        グリス
２０        パイプ
２３        通気孔
【図１】
0003696829.tif 000002
【図２】
0003696829.tif 000003
【図３】
0003696829.tif 000004